(57)【要約】【課題】センサモジュールを高速に冷却する。【解決手段】放射線を受けることにより放射性物質の分布状況を可視化するデータを取得するセンサモジュール１と、フィン１１−１、１１−２と、センサモジュール１に熱的に接触する熱伝導部材３と、熱伝導部材３を介してセンサモジュール１からフィン１１−１、１１−２に熱を移動させる冷却器８−１、８−２と、カバー１６−１、１６−２とを備えている。このようなカメラ１０は、さらに、冷却器８−１、８−２が作動していないときにフィン１１−１、１１−２を覆うことにより、フィン１１−１、１１−２を介して外気からセンサモジュール１に伝熱される熱を低減し、センサモジュール１が高温になることを防止することができる。このため、このようなカメラ１０は、センサモジュール１を所定の温度まで高速に冷却することができる。【選択図】図２
2014135634.tif 000002
【特許請求の範囲】
【請求項１】
放射線を受けることにより放射性物質の分布状況を可視化するデータを取得するセンサモジュールと、
フィンと、
前記センサモジュールが配置される閉空間と前記フィンが配置される開空間とを分離する密閉容器と、
前記センサモジュールに熱的に接触する熱伝導部材と、
前記熱伝導部材を介して前記センサモジュールから前記フィンに熱を移動させる冷却器と、
前記フィンを被覆したり、前記フィンを露出させたりするカバーと
を備えるカメラ。
【請求項２】
他のフィンと、
前記熱伝導部材を介して前記センサモジュールから前記他のフィンに熱を移動させる他の冷却器と、
前記他のフィンを被覆したり、前記他のフィンを露出させたりする他のカバーとをさらに備える請求項１に記載されるカメラ。
【請求項３】
前記冷却器は、前記熱伝導部材と前記フィンとを結ぶ第１直線が前記冷却器に交差するように、配置され、
前記他の冷却器は、前記熱伝導部材と前記他のフィンとを結ぶ第２直線が前記他の冷却器に交差するように、配置され、
前記フィンと前記他のフィンとは、前記第１直線のうちの前記第２直線に最も近い点と前記フィンとの間に前記冷却器が配置されるように、かつ、前記第２直線のうちの前記第１直線に最も近い他の点と前記他のフィンとの間に前記他の冷却器が配置されるように、配置される請求項２に記載されるカメラ。
【請求項４】
放射線を受けることにより放射性物質の分布状況を可視化するデータを取得するセンサモジュールと、
フィンと、
前記センサモジュールから前記フィンに熱を移動させる冷却器と、
前記フィンを被覆したり、前記フィンを露出させたりするカバーとを備えるカメラを用いて実行される撮像用センサ冷却方法であり、
前記冷却器が前記センサモジュールから前記フィンに熱を移動させるときに前記フィンが露出するように前記カバーを前記フィンから外すこと、
前記冷却器が前記センサモジュールから前記フィンに熱を移動させないときに前記カバーを用いて前記フィンを被覆すること
とを備える撮像用センサ冷却方法。
【発明の詳細な説明】
【技術分野】
【０００１】
本発明は、カメラおよび撮像用センサ冷却方法に関し、特に、放射性物質の分布状況を可視化することに利用されるカメラおよび撮像用センサ冷却方法に関する。
【背景技術】
【０００２】
放射性物質の分布状況を可視化する「放射性物質見える化カメラ」が知られている。その放射性物質見える化カメラは、冷却装置とセンサモジュールとを備えている。その冷却装置は、そのセンサモジュールを冷却する。そのセンサモジュールは、所定の温度以下に冷却されているときに、放射線を受けることにより、放射性物質の分布状況を可視化するためのデータを取得する。そのセンサモジュールは、冷却されることにより、結露することがある。その放射性物質見える化カメラは、冷却されるときに、結露することを防止することが望まれている。特開２００８−２１９６１０号公報には、撮像素子表面の結露を防止する撮像素子冷却型カメラが開示されている。
【先行技術文献】
【特許文献】
【０００３】
【特許文献１】特開２００８−２１９６１０号公報
【発明の概要】
【発明が解決しようとする課題】
【０００４】
その放射性物質見える化カメラは、さらに、センサモジュールの停止時からセンサモジュールが撮影可能になるまでの立ち上げ時間を短縮することが望まれ、そのセンサモジュールを所定の温度まで高速に冷却することが望まれている。
【０００５】
本発明の課題は、センサモジュールを高速に冷却するカメラおよび撮像用センサ冷却方法を提供することにある。
【課題を解決するための手段】
【０００６】
本発明によるカメラは、センサモジュールとフィンと密閉容器と熱伝導部材と冷却器とカバーとを備えている。センサモジュールは、放射線を受けることにより放射性物質の分布状況を可視化するデータを取得する。密閉容器は、そのセンサモジュールが配置される閉空間とそのフィンが配置される開空間とを分離する。熱伝導部材は、そのセンサモジュールに熱的に接触している。冷却器は、その熱伝導部材を介してそのセンサモジュールからそのフィンに熱を移動させる。カバーは、そのフィンを被覆したり、そのフィンを露出させたりする。
【０００７】
このようなカメラは、冷却器が作動しているときにフィンを露出させることにより、センサモジュールを高効率に冷却することができる。このようなカメラは、さらに、冷却器が作動していないときにフィンを覆うことにより、フィンを介して外気からセンサモジュールに伝熱される熱を低減することができ、センサモジュールが高温になることを防止することができる。このため、このようなカメラは、センサモジュールが高温になることが防止されることにより、センサモジュールを所定の温度まで高速に冷却することができ、センサモジュールが動作可能になるまでの立ち上げ時間を短縮することができる。
【０００８】
本発明によるカメラは、他のフィンと、その熱伝導部材を介してそのセンサモジュールからその他のフィンに熱を移動させる他の冷却器と、その他のフィンを被覆したり、その他のフィンを露出させたりする他のカバーとをさらに備えている。
【０００９】
このようなカメラは、冷却器を１つしか備えていない他のカメラに比較して、そのセンサモジュールをより高速に冷却することができる。
【００１０】
その冷却器は、その熱伝導部材とそのフィンとを結ぶ第１直線がその冷却器に交差するように、配置されている。その他の冷却器は、その熱伝導部材とその他のフィンとを結ぶ第２直線がその他の冷却器に交差するように、配置されている。そのフィンとその他のフィンとは、その第１直線のうちのその第２直線に最も近い点とそのフィンとの間にその冷却器が配置されるように、そのフィンと他のフィンとは、その第１直線のうちのその第２直線に最も近い他の点と他のフィンとの間に他の冷却器が配置されるように、かつ、その第２直線のうちのその第１直線に最も近い他の点から他の冷却器までの距離が他の点から他のフィンまでの距離より短くなるように、配置されている。
【００１１】
このようなカメラは、第１直線と第２直線とが平行である他のカメラに比較して、熱伝導部材をよりコンパクトに形成することができ、よりコンパクトに作製されることができる。
【００１２】
そのセンサモジュールは、積層された複数の撮像用センサと、その複数の撮像用センサを支持する支柱とを備えている。その支柱は、その熱伝導部材に熱的に接触している。このとき、その支柱の熱伝導率は、その複数の撮像用センサの熱伝導率より大きい。
【００１３】
このようなカメラは、このような支柱を備えることにより、その複数の撮像用センサをより高速に冷却することができる。
【００１４】
本発明による撮像用センサ冷却方法は、カメラを用いて実行される。そのカメラは、放射線を受けることにより放射性物質の分布状況を可視化するデータを取得するセンサモジュールと、フィンと、そのセンサモジュールからそのフィンに熱を移動させる冷却器と、そのフィンを被覆したり、そのフィンを露出させたりするカバーとを備えている。本発明による撮像用センサ冷却方法は、その冷却器がそのセンサモジュールからそのフィンに熱を移動させるときにそのフィンが露出するようにそのカバーをそのフィンから外すこと、その冷却器がそのセンサモジュールからそのフィンに熱を移動させないときにそのカバーを用いてそのフィンを被覆することを備えている。
【００１５】
このような撮像用センサ冷却方法によれば、カメラは、冷却器が作動しているときにフィンを露出させることにより、センサモジュールを高効率に冷却することができ、冷却器が作動していないときにフィンを覆うことにより、フィンを介して外気からセンサモジュールに伝熱される熱を低減することができ、センサモジュールが高温になることを防止することができる。このため、このような撮像用センサ冷却方法によれば、カメラは、冷却器が作動していないときにセンサモジュールが高温になることが防止されることにより、センサモジュールを所定の温度まで高速に冷却することができ、センサモジュールの停止時からセンサモジュールが動作可能になるまでの立ち上げ時間を短縮することができる。
【発明の効果】
【００１６】
本発明によるカメラおよび撮像用センサ冷却方法は、センサモジュールをより高速に冷却することができる。
【図面の簡単な説明】
【００１７】
【図１】カメラを示す部分断面図である。
【図２】カメラを示す図１のＡ−Ａ断面図である。
【発明を実施するための形態】
【００１８】
図面を参照して、カメラの実施の形態が以下に記載される。その放射性物質可視化カメラ１０は、図１に示されているように、センサモジュール１と密閉容器２と熱伝導部材３とを備えている。センサモジュール１は、いわゆるコンプトンカメラであり、複数の撮像用センサ５−１〜５−ｎ（ｎ＝２，３，４，…）と支柱６とセンサカバー７とを備えている。複数の撮像用センサ５−１〜５−ｎのうちの任意の撮像用センサ５−ｉ（ｉ＝１，２，３，…，ｎ）は、長方形状の板に形成されている。複数の撮像用センサ５−１〜５−ｎは、積層されることにより、概ね直方体に形成されている。
【００１９】
センサモジュール１は、放射線を受けることにより、放射性物質の分布状況を可視化するデータを取得する。その分布状況は、複数の方向とその複数の方向に対応する複数の放射能データとを示している。その複数の放射能データのうちのある方向に対応する放射能データは、放射性物質可視化カメラ１０からその方向に配置される放射性物質の核種を示し、その核種の物質量を示している。
【００２０】
支柱６は、複数の撮像用センサ５−１〜５−ｎの熱伝導率より大きい熱伝導率を有する良熱伝導材料から形成され、棒状に形成されている。支柱６は、複数の撮像用センサ５−１〜５−ｎが互いに剥離しないように、複数の撮像用センサ５−１〜５−ｎを互いに固定している。支柱６は、さらに、複数の撮像用センサ５−１〜５−ｎに熱的に接触している。センサカバー７は、複数の撮像用センサ５−１〜５−ｎと支柱６とを囲むように形成されている。センサカバー７は、さらに、複数の撮像用センサ５−１〜５−ｎと支柱６とに熱的に接触している。
【００２１】
密閉容器２は、センサモジュール１が配置される閉空間を外部の開空間から分離している。センサモジュール１は、密閉容器２により密閉された閉空間に配置されることにより、結露することが防止される。熱伝導部材３は、密閉容器２が形成される材料の熱伝導率より大きい熱伝導率を有する良熱伝導材料から形成されている。熱伝導部材３は、さらに、密閉容器２の内部に配置される内側部分と密閉容器２の外部に配置される外側部分とから形成され、その内側部分と外側部分とは熱的に接触している。熱伝導部材３は、その内側部分がセンサモジュール１に熱的に接触し、特に、支柱６に熱的に接触している。
【００２２】
放射性物質可視化カメラ１０は、図２に示されるように、さらに、第１ペルチェ冷却器８−１と第１フィン１１−１と第１ファン１２−１とを備えている。第１ペルチェ冷却器８−１は、ペルチェ素子を備えている。第１ペルチェ冷却器８−１は、熱伝導部材３と第１フィン１１−１との間に配置され、熱伝導部材３と第１フィン１１−１とを結ぶ第１直線１４−１に交差するように配置されている。第１ペルチェ冷却器８−１は、さらに、熱伝導部材３に熱的に接触し、第１フィン１１−１に熱的に接触している。第１ペルチェ冷却器８−１は、そのペルチェ素子を用いて、第１フィン１１−１を加熱することにより、熱伝導部材３を冷却する。すなわち、第１ペルチェ冷却器８−１は、熱伝導部材３から第１フィン１１−１に熱を移動させる。
【００２３】
第１フィン１１−１は、第１ペルチェ冷却器８−１に接触している側の反対の側が外気に接するように、配置されている。第１フィン１１−１は、その外気に接する面の面積が大きくなるように、複数の凹凸が形成されている。第１ファン１２−１は、第１ファン１２−１と第１ペルチェ冷却器８−１との間に第１フィン１１−１が配置されるように、かつ、第１直線１４−１に交差するように、配置されている。第１ファン１２−１は、第１フィン１１−１がより多くの外気に接触するように、第１フィン１１−１に向けて外気を送風する。
【００２４】
放射性物質可視化カメラ１０は、さらに、第２ペルチェ冷却器８−２と第２フィン１１−２と第２ファン１２−２とを備えている。第２ペルチェ冷却器８−２は、ペルチェ素子を備えている。第２ペルチェ冷却器８−２は、熱伝導部材３と第２フィン１１−２との間に配置され、熱伝導部材３と第２フィン１１−２とを結ぶ第２直線１４−２に交差するように配置されている。第２ペルチェ冷却器８−２は、さらに、熱伝導部材３に熱的に接触し、第２フィン１１−２に熱的に接触している。第２ペルチェ冷却器８−２は、そのペルチェ素子を用いて、第２フィン１１−２を加熱することにより、熱伝導部材３を冷却する。すなわち、第２ペルチェ冷却器８−２は、熱伝導部材３から第２フィン１１−２に熱を移動させる。
【００２５】
第２フィン１１−２は、第２ペルチェ冷却器８−２に接触している側の反対の側が外気に接するように、配置されている。第２フィン１１−２は、その外気に接する面の面積が大きくなるように、複数の凹凸が形成されている。第２ファン１２−２は、第２ファン１２−２と第２ペルチェ冷却器８−２との間に第２フィン１１−２が配置されるように、かつ、第２直線１４−２に交差するように、配置されている。第２ファン１２−２は、第２フィン１１−２がより多くの外気に接触するように、第２フィン１１−２に向けて外気を送風する。
【００２６】
放射性物質可視化カメラ１０は、さらに、第１直線１４−１と第２直線１４−２とが交差するように、かつ、第１直線１４−１と第２直線１４−２とが交差する点が熱伝導部材３に重なるように、形成されている。すなわち、第１フィン１１−１の中央から第２フィン１１−２の中央までの距離は、第１ペルチェ冷却器８−１の中央から第２ペルチェ冷却器８−２の中央までの距離より長い。このとき、第１フィン１１−１と第２フィン１１−２とは、比較的大きく形成されることができ、外気に接触する面の面積を比較的大きくすることができる。
【００２７】
放射性物質可視化カメラ１０は、さらに、カメラ１７を備えている。カメラ１７は、センサモジュール１に対して固定されるように、密閉容器２に固定されている。カメラ１７は、センサモジュール１により取得されるデータから作成される放射性物質の分布状況が示す複数の方向にそれぞれ配置される複数の被写体を映す可視画像を撮影する。
【００２８】
放射性物質可視化カメラ１０は、さらに、ケース１５と第１カバー１６−１と第２カバー１６−２とを備えている。ケース１５は、放射性物質可視化カメラ１０の外殻を形成している。すなわち、ケース１５は、密閉容器２と熱伝導部材３と第１ペルチェ冷却器８−１と第１フィン１１−１と第１ファン１２−１と第２ペルチェ冷却器８−２と第２フィン１１−２と第２ファン１２−２とカメラ１７とを概ね囲むように、形成されている。ケース１５は、さらに、第１孔１８−１と第２孔１８−２と窓１９とが形成されている。第１孔１８−１は、第１フィン１１−１と第１ファン１２−１とが外気に接触することができるように、形成されている。第２孔１８−２は、第２フィン１１−２と第２ファン１２−２とが外気に接触することができるように、形成されている。窓１９は、可視光を透過する材料から形成され、カメラ１７が画像を撮影することができるように、カメラ１７の近傍に形成されている。
【００２９】
第１カバー１６−１は、ケース１５の第１孔１８−１に着脱可能に形成されている。第１カバー１６−１は、第１孔１８−１に取り付けられることにより、第１フィン１１−１と第１ファン１２−１とが外気に接触しないように、第１フィン１１−１と第１ファン１２−１とを被覆する。第１カバー１６−１は、第１孔１８−１から取り外されことにより、第１フィン１１−１と第１ファン１２−１とが外気に接触するように、第１フィン１１−１と第１ファン１２−１とを外部に露出する。
【００３０】
第２カバー１６−２は、ケース１５の第２孔１８−２に着脱可能に形成されている。第２カバー１６−２は、第２孔１８−２に取り付けられることにより、第２フィン１１−２と第２ファン１２−２とが外気に接触しないように、第２フィン１１−２と第２ファン１２−２とを被覆する。第２カバー１６−２は、第２孔１８−２から取り外されことにより、第２フィン１１−２と第２ファン１２−２とが外気に接触するように、第２フィン１１−２と第２ファン１２−２とを外部に露出する。
【００３１】
撮像用センサ冷却方法の実施の形態は、放射性物質可視化カメラ１０を用いて実行され、起動動作と撮影動作と停止動作とを備えている。
【００３２】
その起動動作は、その停止動作が実行された後に、すなわち、第１ペルチェ冷却器８−１と第２ペルチェ冷却器８−２と第１ファン１２−１と第２ファン１２−２とが動作していないときに、実行される。放射性物質可視化カメラ１０は、まず、第１フィン１１−１と第１ファン１２−１と第２フィン１１−２と第２ファン１２−２とが外気に露出されるように、第１カバー１６−１と第２カバー１６−２とがケース１５から取り外される。
【００３３】
第１ファン１２−１は、第１カバー１６−１がケース１５から取り外されているときに、第１フィン１１−１が外気に接触するように、第１フィン１１−１に向けて外気を送風する。第１ペルチェ冷却器８−１は、第１カバー１６−１がケース１５から取り外されているときに、熱伝導部材３から第１フィン１１−１に熱を移動させる。
【００３４】
第２ファン１２−２は、第２カバー１６−２がケース１５から取り外されているときに、第２フィン１１−２が外気に接触するように、第２フィン１１−２に向けて外気を送風する。第２ペルチェ冷却器８−２は、第２カバー１６−２がケース１５から取り外されているときに、熱伝導部材３から第２フィン１１−２に熱を移動させる。
【００３５】
放射性物質可視化カメラ１０は、その起動動作が実行されることにより、第１ペルチェ冷却器８−１と第２ペルチェ冷却器８−２とにより熱伝導部材３が冷却される。センサモジュール１は、熱伝導部材３が冷却されることにより、冷却される。すなわち、センサモジュール１は、熱伝導部材３が冷却されているときに、複数の撮像用センサ５−１〜５−ｎの熱が熱伝導部材３に伝熱されることにより、複数の撮像用センサ５−１〜５−ｎが冷却され、支柱６の熱が熱伝導部材３に伝熱されることにより、支柱６が冷却される。複数の撮像用センサ５−１〜５−ｎは、さらに、支柱６が冷却されているときに、複数の撮像用センサ５−１〜５−ｎの熱が支柱６に伝熱されることにより、冷却される。
【００３６】
第１フィン１１−１は、その起動動作が実行されることにより、第１ペルチェ冷却器８−１により加熱される。第１フィン１１−１は、第１フィン１１−１が外気温より高温であるときに、外気に接触することにより、放冷される。第１フィン１１−１は、第１カバー１６−１がケース１５から取り外されることにより、外気に接触しやすく、第１カバー１６−１がケース１５から取り付けられているときに比較して、より高速に放冷される。第１フィン１１−１は、さらに、第１ファン１２−１により送風されることにより、より多く外気に接触し、より高速に放冷される。第２フィン１１−２も、第１フィン１１−１と同様にして、その起動動作が実行されることにより、より高速に放冷される。センサモジュール１は、第１フィン１１−１と第２フィン１１−１とがより高効率に放冷されることにより、センサモジュール１の熱が高効率に第１フィン１１−１と第２フィン１１−１とに伝熱され、より高効率に冷却されることができる。
【００３７】
その撮影動作は、その起動動作が実行された後に、センサモジュール１の複数の撮像用センサ５−１〜５−ｎが十分に冷却されているときに、実行される。放射性物質可視化カメラ１０は、第１ペルチェ冷却器８−１と第２ペルチェ冷却器８−２と第１ファン１２−１と第２ファン１２−２とを継続して動作させる。センサモジュール１は、第１ペルチェ冷却器８−１と第２ペルチェ冷却器８−２と第１ファン１２−１と第２ファン１２−２とが動作しているときに、複数の撮像用センサ５−１〜５−ｎが放射線を受けることにより、複数の撮像用センサ５−１〜５−ｎによりデータを取得する。そのデータが解析されることにより、放射性物質の分布状況が作成される。その分布状況は、複数の方向とその複数の方向に対応する複数の放射能データとを示している。その複数の放射能データのうちのある方向に対応する放射能データは、放射性物質可視化カメラ１０からその方向に配置される放射性物質の核種を示し、その核種の物質量を示している。
【００３８】
カメラ１７は、その複数の方向にそれぞれ配置される複数の被写体を映す可視画像を撮影する。その分布状況とその可視画像とは、解析されることにより、放射性物質可視化画像が作成される。その放射性物質可視化画像は、その複数の方向に対応する複数の領域から形成されている。その複数の領域のうちのある方向に対応する領域には、その複数の被写体のうちのその方向に配置される被写体の像が写し出され、その複数の放射能データのうちのその方向に対応する放射能データがその被写体の像に重ねて表示されている。このような放射性物質可視化画像は、放射性物質の分布状況をよりわかりやすく表示することができる。
【００３９】
その停止動作は、その撮影動作が実行されない期間になる直前に、実行される。放射性物質可視化カメラ１０は、まず、第１ペルチェ冷却器８−１を停止させ、第２ペルチェ冷却器８−２を停止させ、第１ファン１２−１を停止させ、第２ファン１２−２を停止させる。放射性物質可視化カメラ１０は、第１ペルチェ冷却器８−１と第１ファン１２−１とが停止しているときに、第１フィン１１−１と第１ファン１２−１とが外気から隔離されるように、第１カバー１６−１がケース１５に取り付けられる。放射性物質可視化カメラ１０は、さらに、第２ペルチェ冷却器８−２と第２ファン１２−２とが停止しているときに、第２フィン１１−２と第２ファン１２−２とが外気から隔離されるように、第２カバー１６−２がケース１５に取り付けられる。
【００４０】
第１フィン１１−１と第２フィン１１−２とは、放射性物質可視化カメラ１０の外気温より低温であるときに、外気に接触することにより、加熱される。センサモジュール１は、第１フィン１１−１がセンサモジュール１の温度より低温であるときに、第１ペルチェ冷却器８−１と熱伝導部材３とを介して第１フィン１１−１の熱がセンサモジュール１に伝熱し、加熱される。センサモジュール１は、さらに、第２フィン１１−２がセンサモジュール１の温度より低温であるときに、加熱される。
【００４１】
このような停止動作が実行された後では、第１フィン１１−１は、第１カバー１６−１により被覆されていることにより、外気に接触しにくく、ゆっくり加熱される。第２フィン１１−２も、第１フィン１１−１と同様にして、このような停止動作が実行された後では、ゆっくり加熱される。このため、センサモジュール１は、第１フィン１１−１と第２フィン１１−２とがゆっくり加熱されることにより、ゆっくり加熱される。その結果、複数の撮像用センサ５−１〜５−ｎは、第１ペルチェ冷却器８−１と第２ペルチェ冷却器８−２とが停止していた時間が短いときに、外気温まで加熱されない。
【００４２】
このような撮像用センサ冷却方法によれば、放射性物質可視化カメラ１０は、複数の撮像用センサ５−１〜５−ｎ外気温まで加熱されないことにより、複数の撮像用センサ５−１〜５−ｎを所定の温度までが外気温まで加熱された場合に比較して、複数の撮像用センサ５−１〜５−ｎを所定の温度までより高速に冷却することができる。このため、放射性物質可視化カメラ１０は、センサモジュール１の停止時からセンサモジュール１が撮影可能になるまでの立ち上げ時間を短縮することができる。
【００４３】
なお、支柱６は、複数の撮像用センサ５−１〜５−ｎを十分に冷却することができるときに、複数の撮像用センサ５−１〜５−ｎの熱伝導率より小さい熱伝導率を有する材料から形成される他の支柱に置換されることもできる。このようなカメラも、第１カバー１６−１と第２カバー１６−２とを適宜に取り外しすることにより、既述の実施の形態における放射性物質可視化カメラ１０と同様にして、センサモジュール１を高速に冷却することができる。
【００４４】
なお、第１ファン１２−１と第２ファン１２−２とは、第１ファン１２−１と第２ファン１２−２とが送風しなくてもセンサモジュール１を十分に冷却することができるときに、省略されることができる。第１ファン１２−１と第２ファン１２−２とが省略されたカメラは、既述の実施の形態における放射性物質可視化カメラ１０と同様にして、第１カバー１６−１と第２カバー１６−２とを適宜に取り外しすることにより、センサモジュール１を高速に冷却することができる。既述の実施の形態における放射性物質可視化カメラ１０は、第１フィン１１−１と第２フィン１１−２とに向けて送風することにより、第１ファン１２−１と第２ファン１２−２とが省略されたカメラに比較して、第１フィン１１−１と第２フィン１１−２とがより高効率に放冷されることができ、センサモジュール１をより高効率に冷却することができる。
【００４５】
なお、カメラは、第１直線１４−１と第２直線１４−２とが平行になるように、形成されることができる。第１直線１４−１と第２直線１４−２とが平行であるカメラは、既述の実施の形態における放射性物質可視化カメラ１０と同様にして、第１カバー１６−１と第２カバー１６−２とを適宜に取り外しすることにより、センサモジュール１を高速に冷却することができる。
【００４６】
既述の実施の形態における放射性物質可視化カメラ１０は、第１直線１４−１と第２直線１４−２とが平行であるカメラに比較して、熱伝導部材３をよりコンパクトに形成することができ、よりコンパクトに形成されることができる。さらに、第１直線１４−１と第２直線１４−２とは、交差しないで、第１直線１４−１のうちの第２直線１４−２に最も近い点と第１フィン１１−１との間に第１ペルチェ冷却器８−１が配置されるように、かつ、第２直線１４−２のうちの第１直線１４−１に最も近い他の点と第２フィン１１−２との間に第２ペルチェ冷却器８−２が配置されるように、形成されることもできる。このような２直線が適用された放射性物質可視化カメラも、第１カバー１６−１と第２カバー１６−２とを適宜に取り外しすることにより、センサモジュール１を高速に冷却することができ、第１直線１４−１と第２直線１４−２とが平行であるカメラに比較して、熱伝導部材３をよりコンパクトに形成することができ、よりコンパクトに形成されることができる。
【００４７】
なお、第２ペルチェ冷却器８−２〜第２カバー１６−２は、第１ペルチェ冷却器８−１〜第１カバー１６−１がセンサモジュール１を十分に冷却することができるときに、省略することができる。第２ペルチェ冷却器８−２〜第２カバー１６−２が省略されたカメラは、既述の実施の形態における放射性物質可視化カメラ１０と同様にして、第１カバー１６−１を取り外しすることにより、センサモジュール１を高速に冷却することができる。
【符号の説明】
【００４８】
１：センサモジュール
２：密閉容器
３：熱伝導部材
５−１〜５−ｎ：複数の撮像用センサ
６：支柱
７：センサカバー
８−１：第１ペルチェ冷却器
８−２：第２ペルチェ冷却器
１０：放射性物質可視化カメラ
１１−１：第１フィン
１１−２：第２フィン
１４−１：第１直線
１４−２：第２直線
１６−１：第１カバー
１６−２：第２カバー
【図１】
2014135634.tif 000003
【図２】
2014135634.tif 000004